(57)【要約】      （修正有）【課題】タイミングチェーン周辺部の構造に依存せず、エンジン本体の全長を延ばすことなく、オイルジェットを支持可能なタイミングチェーンシステムのオイル供給構造を実現できるようにする。【解決手段】タイミングチェーン３０は、エンジンにおける出力軸方向の一端側の変速機取付け面に設けられる。エンジンは、出力軸の一端側に設けられた第１スプロケット１１と、その変速機側に設けられたフライホイール締結プレート１３と、変速機取付け面を覆うタイミングチェーンカバー４２とを有する。オイルジェット５０は、出力軸方向視でフライホイール締結プレートと重なる位置に配設され、オイルジェットの一端部は変速機取付け面の第１スプロケット１１の近傍の領域に保持され、オイルジェットの他端部はタイミングチェーンカバー４２から出力軸方向に間隔をおいた押さえ部３３ａと当接して支持される。【選択図】図６
2018084215.tif 000002
【特許請求の範囲】
【請求項１】
エンジン本体の出力軸により駆動されるタイミングチェーンと、該タイミングチェーンにオイルを供給する筒状のオイルジェットとを備えたタイミングチェーンシステムのオイル供給構造であって、
前記タイミングチェーンシステムは、前記エンジン本体における出力軸方向の一端側に設けた変速機取付け面に設けられ、
前記エンジン本体は、該エンジン本体に設けられた出力軸の前記一端側に設けられた第１スプロケットと、前記出力軸における前記第１スプロケットよりも変速機側に設けられたフライホイール締結プレートと、前記変速機取付け面を覆うタイミングチェーンカバーとを有し、
前記オイルジェットは、出力軸方向から見て、前記フライホイール締結プレートと重なる位置に配設される共に、前記オイルジェットの一端部は、前記エンジン本体の変速機取付け面における前記第１スプロケットの近傍の領域に嵌合されて保持される一方、前記オイルジェットの他端部は、前記タイミングチェーンカバーから出力軸方向に間隔をおいて設けられた押さえ部と当接して支持されているタイミングチェーンシステムのオイル供給構造。
【請求項２】
請求項１に記載のタイミングチェーンシステムのオイル供給構造において、
前記タイミングチェーンには、該タイミングチェーンの走行をガイドするチェーンガイドが設けられており、
前記押さえ部における前記チェーンガイド側の端部は、前記エンジン本体の上方から見て、前記押さえ部の他の端部よりも前記エンジン本体と離れて位置しているタイミングチェーンシステムのオイル供給構造。
【請求項３】
請求項１又は２に記載のタイミングチェーンシステムのオイル供給構造において、
前記第１スプロケットと前記フライホイール締結プレートとの間には、前記第１スプロケットと同軸の第２スプロケットが設けられており、
前記エンジン本体の出力軸方向において、前記オイルジェットの他端部は、前記第２スプロケットよりもエンジン本体側に位置しているタイミングチェーンシステムのオイル供給構造。
【請求項４】
請求項２に記載のタイミングチェーンシステムのオイル供給構造において、
前記押さえ部は、前記チェーンガイドと一体に設けられ、
前記押さえ部の一端は前記オイルジェットの他端部と当接し、前記押さえ部の他端は前記チェーンガイドを介して前記エンジン本体に保持された板状部材であるタイミングチェーンシステムのオイル供給構造。
【請求項５】
請求項４に記載のタイミングチェーンシステムのオイル供給構造において、
前記チェーンガイドは、前記エンジン本体と締結されるボルト孔を有し、
前記ボルト孔は、前記チェーンガイドにおける前記オイルジェットの前記他端部の近傍に設けられており、
前記押さえ部は、前記ボルト孔の近傍の部位から延設されているタイミングチェーンシステムのオイル供給構造。
【請求項６】
請求項５に記載のタイミングチェーンシステムのオイル供給構造において、
前記押さえ部は、前記オイルジェットの他端部の幅寸法とほぼ同等の幅を有しているタイミングチェーンシステムのオイル供給構造。
【請求項７】
請求項１〜６のいずれか１項に記載のタイミングチェーンシステムのオイル供給構造において、
前記オイルジェットは、前記第１スプロケットとの噛み込み位置の近傍に配設されているタイミングチェーンシステムのオイル供給構造。
【発明の詳細な説明】
【技術分野】
【０００１】
本発明は、エンジン等に設けられるタイミングチェーンシステムのオイル供給構造に関する。
【背景技術】
【０００２】
下記の特許文献１には、クランク軸スプロケットとタイミングチェーンとの噛み込み部の近傍にオイルジェットを設け、該オイルジェットのシリンダブロックと反対側の端部をタイミングチェーンカバーによって支持する構成が記載されている。
【先行技術文献】
【特許文献】
【０００３】
【特許文献１】特開２０００−２８２８２９号公報（第１図）
【特許文献２】特開２００４−３４６８９５号公報（第１３図）
【発明の概要】
【発明が解決しようとする課題】
【０００４】
特許文献１に記載の発明において、タイミングチェーンシステムを変速機側に設けた、いわゆるリアチェーンシステムを想定すると、エンジンの出力軸上におけるスプロケットよりも変速機側で、且つ、チェーンカバーのカバー面と対向する位置にフライホイール締結プレートが設けられる。この場合、当該カバー面には、フライホイール締結プレートを回動可能に支持するプレート支持部が配設されるため、オイルジェットの外形を伸張して、特許文献１に示されるようにタイミングチェーンカバーで支持することは不可能である。
【０００５】
また、特許文献２に記載の発明において、タイミングチェーンカバー側から押さえ部を伸張しようとすると、プレート支持部の径方向の外側から押さえ部を形成しなければならず、該押さえ部の形状が複雑になるだけでなく、エンジン本体の全長が長くなってしまうという問題がある。
【０００６】
本発明は、前記従来の問題を解決し、タイミングチェーン及びオイルジェットの周辺の構造に依存することなく且つエンジン本体の全長を延ばすことなく、オイルジェットを支持可能なタイミングチェーンシステムのオイル供給構造を実現できるようにすることを目的とする。
【課題を解決するための手段】
【０００７】
前記の目的を達成するため、本発明は、リアチェーンシステムにおいて、タイミングチェーンカバーから所定の距離をおいて配設した押さえ部によりオイルジェットのシリンダブロックと反対側の端部を押さえる構成とする。
【０００８】
具体的に、本発明は、タイミングチェーンシステムのオイル供給構造を対象とし、次のような解決手段を講じた。
【０００９】
すなわち、第１の発明は、エンジン本体の出力軸により駆動されるタイミングチェーンと、該タイミングチェーンにオイルを供給する筒状のオイルジェットとを備えたタイミングチェーンシステムのオイル供給構造であって、タイミングチェーンシステムは、エンジン本体における出力軸方向の一端側に設けた変速機取付け面に設けられ、エンジン本体は、該エンジン本体に設けられた出力軸の一端側に設けられた第１スプロケットと、出力軸における第１スプロケットよりも変速機側に設けられたフライホイール締結プレートと、変速機取付け面を覆うタイミングチェーンカバーとを有し、オイルジェットは、出力軸方向から見て、フライホイール締結プレートと重なる位置に配設される共に、オイルジェットの一端部はエンジン本体の変速機取付け面における第１スプロケットの近傍の領域に嵌合されて保持される一方、オイルジェットの他端部はタイミングチェーンカバーから出力軸方向に間隔をおいて設けられた押さえ部と当接して支持されている。
【００１０】
これによれば、オイルジェットは、出力軸方向から見てフライホイール締結プレートと重なる位置に配設される共に、オイルジェットの一端部は、エンジン本体の変速機取付け面における第１スプロケットの近傍の領域に嵌合されて保持される一方、オイルジェットの他端部はタイミングチェーンカバーから出力軸方向に間隔をおいて設けられた押さえ部と当接して支持される。このため、タイミングチェーン及びオイルジェットの周辺の構造に依存することなく、且つエンジン本体の全長を延ばすことなく、オイルジェットを支持することができる。
【００１１】
第２の発明は、上記第１の発明において、タイミングチェーンには、該タイミングチェーンの走行をガイドするチェーンガイドが設けられており、押さえ部におけるチェーンガイド側の端部は、エンジン本体の上方から見て、押さえ部の他の端部よりもエンジン本体と離れて位置していてもよい。
【００１２】
これによれば、押さえ部のチェーンガイド側の端部が他の端部よりもエンジン本体と離れて位置するため、該押さえ部がオイルジェットの他端部に対して、エンジン本体と反対側の方向にずれて当接する。このため、オイルジェットの軸線方向に作用する押さえ力が生じやすくなるので、オイルジェットを適切に支持することができる。
【００１３】
第３の発明は、上記第１又は第２の発明において、第１スプロケットとフライホイール締結プレートとの間には、第１スプロケットと同軸の第２スプロケットが設けられており、エンジン本体の出力軸方向において、オイルジェットの他端部は、第２スプロケットよりもエンジン本体側に位置していてもよい。
【００１４】
これによれば、オイルジェットの外側に位置する他端部がエンジン本体から遠い第２スプロケットではなく、エンジン本体に近い第１スプロケット上に位置することになり、オイルジェットの長さを短くすることができるので、押さえ部とエンジン本体とによって押さえ付けられるオイルジェットの耐久性を確保することができる。
【００１５】
第４の発明は、上記第２の発明において、押さえ部は、チェーンガイドと一体に設けられ、押さえ部の一端はオイルジェットの他端部と当接し、押さえ部の他端はチェーンガイドを介してエンジン本体に保持された板状部材であってもよい。
【００１６】
これによれば、押さえ部として、オイルジェットの他端部を側方から押さえる板状部材としたことにより、該押さえ部がばねとして作用する。すなわち、押さえ部に板ばねの作用を利用することにより、オイルジェットの他端部を適当な力で押さえることができる。また、押さえ部はチェーンガイドと一体に設けられているため、該押さえ部を構成する追加の部品が不要となるので、エンジンの組み立て時の作業工程が増えることがない。
【００１７】
第５の発明は、上記第４の発明において、チェーンガイドは、エンジン本体と締結されるボルト孔を有し、ボルト孔は、チェーンガイドにおけるオイルジェットの他端部の近傍に設けられており、押さえ部は、ボルト孔の近傍の部位から延設されていてもよい。
【００１８】
これによれば、押さえ部が板状部材であることから、板ばねの作用を効果的に得ることができる。
【００１９】
第６の発明は、上記第５の発明において、押さえ部は、オイルジェットの他端部の幅寸法とほぼ同等の幅を有していてもよい。
【００２０】
これによれば、押さえ部をコンパクトに形成することができるので、オイルジェットの取り付け位置をタイミングチェーンによって囲まれた領域が小さい第１スプロケットに近付けやすくなる。
【００２１】
第７の発明は、上記第１〜第６の発明において、オイルジェットは、第１スプロケットとの噛み込み位置の近傍に配設されていてもよい。
【００２２】
これによれば、オイルジェットと、スプロケット及びタイミングチェーンとの間隔を小さくすることができるので、オイルポンプの油圧を低減でき、その結果、燃費を改善することが可能となる。
【発明の効果】
【００２３】
本発明によれば、タイミングチェーン及びオイルジェットの周辺の構造に依存することなく且つエンジン本体の全長を延ばすことなく、オイルジェットを支持可能なタイミングチェーンシステムのオイル供給構造を実現できるようにする
【図面の簡単な説明】
【００２４】
【図１】図１は本発明の一実施形態に係るタイミングチェーンシステムのオイル供給構造を備えた車両用のエンジンの変速速機側を示す側面図（タイミングチェーンカバーは図示せず）である。
【図２】図２は図１のタイミングチェーンカバーを示す正面図である。
【図３】図３は本発明の一実施形態に係るタイミングチェーンシステムに用いるタイミングチェーンガイドを示す斜視図である。
【図４】図４は本発明の一実施形態に係るタイミングチェーンシステムに用いるオイルジェットを示す斜視図である。
【図５】図５は図１のタイミングチェーンガイドを含む領域を示す部分斜視図である。
【図６】図６は図５のVI−VI線における気筒軸方向を示す断面図である。
【発明を実施するための形態】
【００２５】
以下、本発明の実施形態を図面に基づいて詳細に説明する。以下の好ましい実施形態の説明は、本質的に例示に過ぎず、本発明、その適用物又はその用途を制限することを意図しない。
【００２６】
（一実施形態）
本発明の一実施形態について図面を参照しながら説明する。
【００２７】
図１はタイミングチェーンシステムのオイル供給構造を備えた車両用のエンジンの変速速機側の側面を表している。ここでは、タイミングチェーン等の駆動用のチェーンを覆うチェーンカバーの図示を省略している。
【００２８】
図１に示すように、エンジン１は、例えば、火花点火式内燃機関として構成されている。エンジン１は、図示は省略するが、車両における前部のエンジンルーム内で、いわゆる横置きに搭載される。但し、エンジン１は縦置きであってもよい。気筒数には制限はないが、例えば直列４気筒である。エンジン１のシリンダブロック２の下部に設けられた出力軸であるクランク軸１０は、変速機（図示せず）を介して駆動輪に連結されている。クランク軸１０の端部には、エンジン１側から、タイミングチェーン３０の巻き掛け用の第１スプロケットであるクランク軸スプロケット１１（図６を参照。）と、オイルポンプ用チェーン３１の巻き掛け用の第２スプロケットであるオイルポンプ用チェーンスプロケット１２と、変速機等に連結されるフライホイール（図示せず）と複数のボルトにより締結されるフライホイール締結プレート１３とが、順次設けられている。このように、本実施形態においては、タイミングチェーン３０を変速機側に設ける、いわゆるリアチェーンシステムを採る。
【００２９】
シリンダブロック２の上側に連結されたシリンダヘッド３には、クランク軸１０の軸方向に互いに平行に延びる吸気カム軸１４及び排気カム軸１５が設けられている。吸気カム軸１４の端部及び排気カム軸１５の端部には、給気カムスプロケット１６及び排気カムスプロケット１７がそれぞれ取り付けられている。各カムスプロケット１６、１７の少なくとも一方には、可変バルブタイミング（ＶＶＴ）機構が設けられていてもよい。
【００３０】
シリンダブロック２の側部には、燃料ポンプ駆動軸１８と、該燃料ポンプ駆動軸１８のシリンダブロック２側に取り付けられた燃料ポンプ用スプロケット１９と、燃料ポンプ駆動軸１８における燃料ポンプ用スプロケット１９の外側に取り付けられたカムチェーンスプロケット２０とが設けられている。
【００３１】
タイミングチェーン３０は、クランク軸スプロケット１１と、燃料ポンプ用スプロケット１９とに巻き掛けられている。また、カムチェーン３２は、給気カムスプロケット１６及び排気カムスプロケット１７と、カムチェーンスプロケット２０とに巻き掛けられている。
【００３２】
シリンダブロック２の下側に連結されたロアシリンダブロック４の下方には、オイルポンプ駆動軸２１と、該オイルポンプ駆動軸２１に設けられたオイルポンプ用スプロケット２２とが配設されている。
【００３３】
タイミングチェーン３０には、クランク軸１０と燃料ポンプ駆動軸１８との間の張り側スパンの走行をガイドするタイミングチェーンガイド３３が、シリンダブロック２に取り付けられている。タイミングチェーンガイド３３におけるクランク軸１０側のボルト４３の近傍の端部には、該端部からタイミングチェーン３０のクランク軸スプロケット１１との噛み込み部の近傍にまで延伸する押さえ部３３ａが設けられている。該押さえ部３３ａの裏側（エンジン本体側）には、内部に油路を有し、タイミングチェーン３０とクランク軸スプロケット１１との噛み込み部に潤滑油（オイル）を噴射するオイルジェット５０が設けられている。オイルジェット５０におけるシリンダブロック２側の端部は、該シリンダブロック２に設けられた油路を含む孔部（支持孔）に嵌合される。タイミングチェーンガイド３３の押さえ部３３ａは、オイルジェット５０の外側（シリンダブロック２と反対側）の端部と当接して該オイルジェット５０を支持する。従って、オイルジェット５０におけるエンジン１の出力軸方向の外側の端部は、タイミングチェーンカバー４２（図６を参照。）とは接しない。なお、本実施形態に係るタイミングチェーンガイド３３に設けられた押さえ部３３ａ、及びオイルジェット５０の詳細な構成は後述する。
【００３４】
タイミングチェーン３０におけるクランク軸１０と燃料ポンプ駆動軸１８との間の緩み側スパンには、タイミングチェーンテンショナアーム３４を介して、タイミングチェーン３０の緩み側に張力を付与するタイミングチェーンテンショナ（油圧オートテンショナ）３５が、シリンダブロック２に保持されている。
【００３５】
同様に、カムチェーン３２には、燃料ポンプ駆動軸１８と吸気カム軸１４との間の張り側スパンの走行をガイドするカムチェーンガイド３６が、シリンダブロック２に保持されている。さらに、カムチェーン３２における燃料ポンプ駆動軸１８と排気カム軸１５との間の緩み側スパンには、カムチェーンテンショナアーム３７を介して、カムチェーン３２の緩み側に張力を付与するカムチェーンテンショナ（油圧オートテンショナ）３８が、シリンダブロック２に保持されている。
【００３６】
オイルポンプ用チェーン３１には、クランク軸１０とオイルポンプ駆動２１との間の張り側スパンの走行をガイドするオイルポンプ用チェーンガイド３９が、ロアシリンダブロック４に保持されている。さらに、オイルポンプ用チェーン３１におけるクランク軸１０とオイルポンプ駆動２１との間の緩み側スパンには、オイルポンプ用チェーン３１の緩み側に張力を付与するオイルポンプ用チェーンテンショナ４０が、ロアシリンダブロック４に保持されている。
【００３７】
図１に示したタイミングチェーンシステムを備えたエンジン１の変速機側の側面（変速機取付け面）には、通常、図２に示すタイミングチェーンカバー４２が該変速機取付け面を覆うように設けられる。タイミングチェーンカバー４２は、各チェーンガイド３３、３６、３９、各チェーンテンショナアーム３４、３７、４０及び各チェーンテンショナ３５、３８を含め、各チェーン３０、３１、３２とは接しないように設けられる。なお、タイミングチェーンカバー４２におけるフライホイール締結プレート１３を露出する開口部の内壁面には、該フライホイール締結プレート１３の外周面を回動可能に支持するプレート支持部４２ａが設けられている。
【００３８】
（タイミングチェーンガイドの押さえ部及びオイルジェットの構成）
図３は本実施形態に係るタイミングチェーンガイドの構成を示し、図４はオイルジェットの構成を示している。また、図５は図１に示すタイミングチェーンガイド３３及びオイルジェット５０を含む領域の拡大斜視図を示している。図６は図５のVI−VI線における断面構成を示している。
【００３９】
図１及び図３に示すように、タイミングチェーンガイド３３は、チェーンの走行をガイドする別体の摺動部３３ｃを有している。さらに、タイミングチェーンガイド３３は、そのクランク軸１０側の端部から裏面側（シリンダブロック２側）に屈曲しながら延びる、該タイミングチェーンガイド３３と一体に形成された板状の押さえ部３３ａを有している。押さえ部３３ａは、その先端部の裏面（シリンダブロック２側の面）によってオイルジェット５０の端面と当接する。これにより、オイルジェット５０が油圧によりシリンダブロック２から抜け落ちることを防止できる。タイミングチェーンガイド３３は、２本のボルト４３によって、エンジン１のシリンダブロック２に取り付けられる。
【００４０】
オイルジェット５０は、図４に示すように、例えば、有底筒状であって、シリンダブロック２に設けられた内部油路と連通する開口部５０ａが設けられた第１端部５０ｂと、該第１端部５０ｂと反対側で且つタイミングチェーンガイド３３の押さえ部３３ａによって支持される第２端部５０ｃとを有している。オイルジェット５０の第２端部５０ｃの近傍における下面、すなわちロアシリンダブロック４側の側面にはオイル噴射口５０ｄが設けられており、該オイル噴射口５０ｄからオイル５５が噴射される。さらに、オイルジェット５０の側面における中間部には、例えば、オイル噴射口５０ｄの開口方向に延びると共に、廻り止め突起５０ｅを保持する廻り止め保持部５０ｆが設けられている。廻り止め突起５０ｅは、筒状のオイルジェット５０の回転を防止してその位置決めを行う突起部であり、シリンダブロック２の孔部に嵌合される。
【００４１】
図５は、図１におけるタイミングチェーンガイド３３を含む領域を部分的に拡大した斜視図である。また、図６は、図５のVI−VI線における気筒軸の下方向を示す断面図である。図５及び図６に示すように、本実施形態に係るオイルジェット５０は、タイミングチェーン３０におけるクランク軸スプロケット１１との噛み込み部の上側に配設されている。従って、オイルジェット５０のオイル噴射口５０ｄは、タイミングチェーン３０のクランク軸スプロケット１１との噛み込み部に向けられている。また、上述したように、タイミングチェーンガイド３３の押さえ部３３ａは、オイルジェット５０におけるシリンダブロック２と反対側の端部である第２端部５０ｃと当接して該オイルジェット５０を支持している。なお、図５においては、クランク軸１０に設けられたフライホイール締結プレート１３の図示を省略している。
【００４２】
一方、図６にはフライホイール締結プレート１３とタイミングチェーンカバー４２とを図示している。図６に示すように、タイミングチェーンガイド３３に設けられたオイルジェット５０用の押さえ部３３ａは、気筒軸方向から見て、該押さえ部３３ａの基部（タイミングチェーンガイド３３の本体部）が該押さえ部３３ａの先端部と比べて、シリンダブロック２の外側（エンジン１と反対側）にずれている。このように、押さえ部３３ａがオイルジェットの第２端部に対して、外側にずれた分だけ角度を付けて当接する。これにより、オイルジェット５０の長軸方向に作用する押さえ力（付勢力）が生じやすくなるので、該オイルジェット５０を適切に支持することができる。さらに、押さえ部３３ａを、オイルジェットの第２端部５０ｃを側方から押さえる板状としたことにより、該押さえ部３３ａが板ばねとして作用する。これにより、オイルジェット５０の第２端部５０ｃを適当な力で押さえることができる。すなわち、オイルジェット５０の内部に油圧が加わって、押さえ部３３ａの方向に抜けようとする力が発生した場合や、オイルジェット５０の長さが製造ばらつきによってノミナル長さよりも長く形成されてしまった場合に、オイルジェット５０に作用する反力が過剰になってしまうことを板ばね作用によって抑制することができる。
【００４３】
また、図３及び図６に示すように、押さえ部３３ａは、ボルト４３の近傍の部位から延びるように形成されているため、上述した板ばねの作用を効果的に得ることができる。具体的には、このような構成とすることにより、実質的に板ばねとして作用する部位を短く形成できるため、ボルト軸力を効率良く第２端部５０ｃに伝達することができるので、板ばね作用による効果と併せて、適切な力でオイルジェット５０を支持することができる。
【００４４】
さらに、押さえ部３３ａは、オイルジェット５０の第２端部５０ｃの幅寸法とほぼ同等の幅に設けられている。このため、該押さえ部３３ａをコンパクトに形成することができる。その結果、タイミングチェーン３０及びクランク軸スプロケット１１によって囲まれた領域が狭隘であっても、該タイミングチェーン３０がばたつく領域を避けて、当該押さえ部３３ａを配置することができる。なお、本実施形態に係るタイミングチェーンガイド３３のボルト４３の頂部は、タイミングチェーンカバー４２と接することはない。
【００４５】
また、本実施形態においては、クランク軸１０には、エンジン１側から第１スプロケットであるクランク軸スプロケット１１と、その外側の第２スプロケットであるオイルポンプ用チェーンスプロケット１２とが設けられている。本実施形態に係るオイルジェット５０は、内側（エンジン１側）のクランク軸スプロケット１１の噛み込み位置の近傍に配設されているので、オイルジェット５０と、クランク軸スプロケット１１及びタイミングチェーン３０との間隔を小さくすることができる。その結果、オイルポンプの油圧を下げることができる。
【００４６】
また、図６に示すように、本実施形態のように、リアチェーンシステムの場合には、オイルジェット５０をクランク軸スプロケット１１との噛み込み位置に近づけようとすると、クランク軸スプロケット１１の径がフライホイール締結プレート１３の径よりも小さいため、オイルジェット５０は、フライホイール締結プレート１３の裏側に隠れてしまう。しかしながら、本実施形態においては、オイルジェット５０を支持する押さえ部３３ａを、タイミングチェーンカバー４２ではなくタイミングチェーンガイド３３に設けているため、フライホイール締結プレート１３が該押さえ部３３ａの障害となることはなく、従って、エンジン１の全長を延ばすようなことも生じない。
【００４７】
以上説明したように、本実施形態によると、オイルジェット５０に起因するタイミングチェーンカバー４２からの放射音の発生を抑制しながら、ボルト等を用いることなく、すなわち、シリンダブロック２に専用のボス孔を設けることなくオイルジェット５０を固定可能なタイミングチェーン３０のオイル供給構造を得ることができる。
【産業上の利用可能性】
【００４８】
本発明に係るタイミングチェーンシステムのオイル供給構造は、タイミングチェーン及びオイルジェットの周辺の構造に依存せず且つエンジン本体の全長を延長することなく、オイルジェットを容易に支持可能なオイル供給構造として有用である。
【符号の説明】
【００４９】
１      エンジン（エンジン本体）
２      シリンダブロック
３      シリンダヘッド
１０    クランク軸
１１    クランク軸スプロケット（第１スプロケット）
１２    オイルポンプ用チェーンスプロケット（第２スプロケット）
１３    フライホイール締結プレート
１８    燃料ポンプ駆動軸
１９    燃料ポンプ用スプロケット
２０    カムチェーンスプロケット
２１    オイルポンプ駆動軸
２２    オイルポンプ用スプロケット
３０    タイミングチェーン
３１    オイルポンプ用チェーン
３２    カムチェーン
３３    タイミングチェーンガイド
３３ａ  押さえ部
３３Ａ  タイミングチェーンガイド
３３ｂ  押さえ部
３３ｃ  摺動部
３４    タイミングチェーンテンショナアーム
３５    タイミングチェーンテンショナ
４２    タイミングチェーンカバー
４２ａ  プレート支持部
４３    ボルト
５０    オイルジェット
５０ａ  開口部
５０ｂ  第１端部（一端部）
５０ｃ  第２端部（他端部）
５０ｄ  オイル噴射口
５０ｅ  廻り止め突起
５０ｆ  廻り止め保持部
【図１】
2018084215.tif 000003
【図２】
2018084215.tif 000004
【図３】
2018084215.tif 000005
【図４】
2018084215.tif 000006
【図５】
2018084215.tif 000007
【図６】
2018084215.tif 000008
【手続補正書】
【提出日】平成30年1月15日(2018.1.15)
【手続補正１】
【補正対象書類名】明細書
【補正対象項目名】０００９
【補正方法】変更
【補正の内容】
【０００９】
すなわち、第１の発明は、エンジン本体の出力軸により駆動されるタイミングチェーンと、該タイミングチェーンにオイルを供給する筒状のオイルジェットとを備えたタイミングチェーンシステムのオイル供給構造であって、タイミングチェーンシステムは、エンジン本体における出力軸方向の一端側に設けた変速機取付け面に設けられ、エンジン本体は、該エンジン本体に設けられた出力軸の一端側に設けられた第１スプロケットと、出力軸における第１スプロケットよりも変速機側に設けられたフライホイール締結プレートと、変速機取付け面を覆うタイミングチェーンカバーとを有し、オイルジェットは、出力軸方向から見て、フライホイール締結プレートと重なる位置に配設される共に、オイルジェットの一端部はエンジン本体の変速機取付け面における第１スプロケットの近傍の領域に嵌合されて保持される一方、オイルジェットの他端部はタイミングチェーンカバーから出力軸方向に間隔をおいて設けられた押さえ部と当接して支持されており、タイミングチェーンには、該タイミングチェーンの走行をガイドするチェーンガイドが設けられ、押さえ部におけるチェーンガイド側の端部は、エンジン本体の上方から見て、押さえ部の他の端部よりもエンジン本体と離れて位置しており、押さえ部は、チェーンガイドと一体に設けられ、押さえ部の一端はオイルジェットの他端部と当接し、押さえ部の他端はチェーンガイドを介してエンジン本体に保持された板状部材である。
【手続補正２】
【補正対象書類名】明細書
【補正対象項目名】００１０
【補正方法】変更
【補正の内容】
【００１０】
これによれば、オイルジェットは、出力軸方向から見てフライホイール締結プレートと重なる位置に配設される共に、オイルジェットの一端部は、エンジン本体の変速機取付け面における第１スプロケットの近傍の領域に嵌合されて保持される一方、オイルジェットの他端部はタイミングチェーンカバーから出力軸方向に間隔をおいて設けられた押さえ部と当接して支持される。このため、タイミングチェーン及びオイルジェットの周辺の構造に依存することなく、且つエンジン本体の全長を延ばすことなく、オイルジェットを支持することができる。
また、押さえ部のチェーンガイド側の端部が他の端部よりもエンジン本体と離れて位置するため、該押さえ部がオイルジェットの他端部に対して、エンジン本体と反対側の方向にずれて当接する。このため、オイルジェットの軸線方向に作用する押さえ力が生じやすくなるので、オイルジェットを適切に支持することができる。
また、押さえ部として、オイルジェットの他端部を側方から押さえる板状部材としたことにより、該押さえ部がばねとして作用する。すなわち、押さえ部に板ばねの作用を利用することにより、オイルジェットの他端部を適当な力で押さえることができる。また、押さえ部はチェーンガイドと一体に設けられているため、該押さえ部を構成する追加の部品が不要となるので、エンジンの組み立て時の作業工程が増えることがない。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
第２の発明は、上記第１の発明において、第１スプロケットとフライホイール締結プレートとの間には、第１スプロケットと同軸の第２スプロケットが設けられており、エンジン本体の出力軸方向において、オイルジェットの他端部は、第２スプロケットよりもエンジン本体側に位置していてもよい。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
第３の発明は、上記第１の発明において、チェーンガイドは、エンジン本体と締結されるボルト孔を有し、ボルト孔は、チェーンガイドにおけるオイルジェットの他端部の近傍に設けられており、押さえ部は、ボルト孔の近傍の部位から延設されていてもよい。
【手続補正９】
【補正対象書類名】明細書
【補正対象項目名】００１９
【補正方法】変更
【補正の内容】
【００１９】
第４の発明は、上記第３の発明において、押さえ部は、オイルジェットの他端部の幅寸法とほぼ同等の幅を有していてもよい。
【手続補正１０】
【補正対象書類名】明細書
【補正対象項目名】００２１
【補正方法】変更
【補正の内容】
【００２１】
第５の発明は、上記第１〜第４の発明において、オイルジェットは、第１スプロケットとの噛み込み位置の近傍に配設されていてもよい。
【手続補正１１】
【補正対象書類名】特許請求の範囲
【補正対象項目名】全文
【補正方法】変更
【補正の内容】
【特許請求の範囲】
【請求項１】
エンジン本体の出力軸により駆動されるタイミングチェーンと、該タイミングチェーンにオイルを供給する筒状のオイルジェットとを備えたタイミングチェーンシステムのオイル供給構造であって、
前記タイミングチェーンシステムは、前記エンジン本体における出力軸方向の一端側に設けた変速機取付け面に設けられ、
前記エンジン本体は、該エンジン本体に設けられた出力軸の前記一端側に設けられた第１スプロケットと、前記出力軸における前記第１スプロケットよりも変速機側に設けられたフライホイール締結プレートと、前記変速機取付け面を覆うタイミングチェーンカバーとを有し、
前記オイルジェットは、出力軸方向から見て、前記フライホイール締結プレートと重なる位置に配設される共に、前記オイルジェットの一端部は、前記エンジン本体の変速機取付け面における前記第１スプロケットの近傍の領域に嵌合されて保持される一方、前記オイルジェットの他端部は、前記タイミングチェーンカバーから出力軸方向に間隔をおいて設けられた押さえ部と当接して支持されており、
前記タイミングチェーンには、該タイミングチェーンの走行をガイドするチェーンガイドが設けられ、
前記押さえ部における前記チェーンガイド側の端部は、前記エンジン本体の上方から見て、前記押さえ部の他の端部よりも前記エンジン本体と離れて位置しており、
前記押さえ部は、前記チェーンガイドと一体に設けられ、
前記押さえ部の一端は前記オイルジェットの他端部と当接し、前記押さえ部の他端は前記チェーンガイドを介して前記エンジン本体に保持された板状部材であるタイミングチェーンシステムのオイル供給構造。
【請求項２】
請求項１に記載のタイミングチェーンシステムのオイル供給構造において、
前記第１スプロケットと前記フライホイール締結プレートとの間には、前記第１スプロケットと同軸の第２スプロケットが設けられており、
前記エンジン本体の出力軸方向において、前記オイルジェットの他端部は、前記第２スプロケットよりもエンジン本体側に位置しているタイミングチェーンシステムのオイル供給構造。
【請求項３】
請求項１に記載のタイミングチェーンシステムのオイル供給構造において、
前記チェーンガイドは、前記エンジン本体と締結されるボルト孔を有し、
前記ボルト孔は、前記チェーンガイドにおける前記オイルジェットの前記他端部の近傍に設けられており、
前記押さえ部は、前記ボルト孔の近傍の部位から延設されているタイミングチェーンシステムのオイル供給構造。
【請求項４】
請求項３に記載のタイミングチェーンシステムのオイル供給構造において、
前記押さえ部は、前記オイルジェットの他端部の幅寸法とほぼ同等の幅を有しているタイミングチェーンシステムのオイル供給構造。
【請求項５】
請求項１〜４のいずれか１項に記載のタイミングチェーンシステムのオイル供給構造において、
前記オイルジェットは、前記第１スプロケットとの噛み込み位置の近傍に配設されているタイミングチェーンシステムのオイル供給構造。